(57)【要約】【課題】ロック部材の駆動機構の一部が配置される切欠きが隔壁部に形成されたカードリーダにおいて、シール部材を用いて隔壁部の奥側の防水領域への液体の浸入を防止することが可能であっても、シール部材の設計を容易にしつつ、ロック部材を適切に動作させることが可能なカードリーダを提供する。【解決手段】このカードリーダでは、駆動源２２の動力をロック部材８に伝達する動力伝達機構２３は、前後方向に直線的に移動するスライド部材２４を備えており、本体フレームの隔壁部には、スライド部材２４の一部が配置される切欠きが形成されている。隔壁部の奥側の領域への液体の浸入を防止するためのシール部材２０は、隔壁部の切欠きを塞ぐためのシール本体部２０ａと、一端がシール本体部２０ａに繋がり他端がスライド部材２４に固定される筒状のカバー部２０ｂとを備えており、カバー部２０ｂは、スライド部材２４の前後動に追従して前後方向に伸縮する。【選択図】図５
2019008714.tif 000002
【特許請求の範囲】
【請求項１】
カードに記録されたデータの読取りおよび前記カードへのデータの記録の少なくともいずれか一方を行うカードリーダにおいて、
前記カードリーダへの前記カードの挿入方向側を奥側とし、前記カードリーダからの前記カードの抜取り方向側を前側とし、前記カードリーダに対する前記カードの挿入抜取り方向を前後方向とすると、
前記カードの奥端側部分が収容される袋状のカード収容部と前記カード収容部の前端から鍔状に広がる隔壁部とを有する本体フレームと、前記本体フレームが収容されるケース体と、前記カードリーダに挿入された前記カードの抜取りを防止するロック部材と、前記ロック部材を駆動する駆動機構と、前記隔壁部の奥側かつ前記カード収容部の外側の領域であって前記隔壁部と前記ケース体とによって囲まれた領域への液体の浸入を防止するためのシール部材とを備え、
前記ロック部材は、前記隔壁部よりも前側に配置され、
前記駆動機構は、前記隔壁部よりも奥側に配置される駆動源と、前記駆動源の動力を前記ロック部材に伝達する動力伝達機構とを備え、
前記駆動源および前記動力伝達機構は、あるいは、前記動力伝達機構は、前後方向に直線的に移動するスライド部材を備え、
前記隔壁部には、前記スライド部材の一部が配置される切欠きまたは穴が前後方向に貫通するように形成され、
前記シール部材は、前記切欠きまたは前記穴を塞ぐためのシール本体部と、一端が前記シール本体部に繋がるとともに他端が前記スライド部材に取り付けられる筒状のカバー部とを備え、
前記シール本体部には、前記スライド部材が挿通される挿通穴が前後方向に貫通するように形成され、
前記カバー部の一端は、前記挿通穴を囲むように前記シール本体部の前側の面または奥側の面に繋がり、
前記カバー部の内周側には、前記スライド部材が挿通され、
前記カバー部は、前記スライド部材の前後動に追従して前後方向に伸縮することを特徴とするカードリーダ。
【請求項２】
前記カバー部は、蛇腹状に形成されていることを特徴とする請求項１記載のカードリーダ。
【請求項３】
前記ロック部材は、前記カードリーダからの前記カードの抜取りを防止する抜取り防止位置と、前記カードリーダからの前記カードの抜取りが可能になる抜取り可能位置との間で回動可能となっており、
前記カバー部の一端は、前記シール本体部の奥側の面に繋がっており、
前記カバー部は、前記隔壁部の奥側に配置されていることを特徴とする請求項１または２記載のカードリーダ。
【請求項４】
前記隔壁部には、前記カードリーダに挿入された前記カードの厚さ方向における前記隔壁部の一方の端面まで切り欠かれた前記切欠きが形成されていることを特徴とする請求項１から３のいずれかに記載のカードリーダ。
【請求項５】
前記駆動源は、ソレノイドであり、
前記動力伝達機構は、前記スライド部材として、前記ソレノイドのプランジャに連結されるレバー部材を備えることを特徴とする請求項１から４のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行うカードリーダが知られている（たとえば、特許文献１参照）。特許文献１に記載のカードリーダは、カードリーダに挿入されたカードの抜取りを防止するためのロックレバーを備えている。また、このカードリーダは、カード挿入口が形成される前面カバーとケース本体とから構成されるケース体と、前面カバーに固定されるとともにケース体に収容される本体フレームとを備えている。
【０００３】
特許文献１に記載のカードリーダでは、本体フレームは、磁気ヘッドが配置されるヘッド配置部と、カード挿入口から挿入されたカードを案内するためのカード案内部と、カード挿入口から挿入されたカードの後端側が配置される袋状のカード収容部と、カード収容部の前端から鍔状に広がる隔壁部とを備えている。ヘッド配置部およびカード案内部は、隔壁部よりも前側に配置されており、ヘッド配置部およびカード案内部と、隔壁部との間には、シール部材が配置されている。このカードリーダでは、隔壁部の後ろ側かつカード収容部の外側の領域であって隔壁部とケース体とに囲まれた領域は、水等の液体の浸入を許容しない防水領域となっており、隔壁部の前側に配置されるシール部材は、この防水領域の防水性を確保する機能を果たしている。
【０００４】
また、特許文献１に記載のカードリーダでは、ロックレバーは、固定軸に回動可能に保持されている。ロックレバーの後端側は、ソレノイドに連結されている。固定軸およびソレノイドは、隔壁部よりも後ろ側の防水領域の中に配置されている。ロックレバーの先端側には、カードの先端に係合する爪部が形成されている。この爪部は、隔壁部よりも前側に配置されている。ロックレバーは、固定軸を中心にして、爪部がカードの先端に接触してカードの抜取りを防止する位置と、カードの抜取りを可能にする位置との間で回動する。
【０００５】
隔壁部には、ロックレバーが通過する通過穴が形成されている。ロックレバーの、隔壁部よりも前側に配置される部分には、隔壁部の通過穴を水等の液体が通過するのを防止するためのカバー部材が取り付けられている。カバー部材は、たとえば、ゴムで形成されている。カバー部材の先端は、ロックレバーの前端側に取り付けられ、カバー部材の後端は、隔壁部側に取り付けられている。カバー部材は、隔壁部の後ろ側の防水領域の防水性を確保する機能を果たしている。
【先行技術文献】
【特許文献】
【０００６】
【特許文献１】特開２０１５−９２３０７号公報
【発明の概要】
【発明が解決しようとする課題】
【０００７】
特許文献１に記載のカードリーダでは、ロックレバーの、隔壁部よりも前側に配置される部分にカバー部材が取り付けられており、ロックレバーが回動すると、ロックレバーの回動方向の一方側では、カバー部材が縮み、ロックレバーの回動方向の他方側では、カバーが伸びる。すなわち、このカードリーダでは、ロックレバーの回動動作に伴ってカバー部材が複雑に変形する。そのため、このカードリーダでは、カバー部材の前後方向の長さを長くしたり、カバー部材の厚さを薄くしたりする等の設計上の考慮をしないと、ロックレバーの動作に対するカバー部材の追従性が悪くなって、ロックレバーの動作に支障が生じるおそれがある。
【０００８】
そこで、本発明の課題は、カードリーダに挿入されたカードの抜取りを防止するロック部材が本体フレームの隔壁部の前側に配置され、ロック部材の駆動機構の一部を構成する駆動源が隔壁部の奥側に配置されるとともに、駆動機構の一部が配置される切欠きまたは穴が隔壁部を貫通するように形成されたカードリーダにおいて、シール部材を用いて隔壁部の奥側の防水領域への液体の浸入を防止することが可能であっても、シール部材の設計を容易にしつつ、ロック部材を適切に動作させることが可能なカードリーダを提供することにある。
【課題を解決するための手段】
【０００９】
上記の課題を解決するため、本発明のカードリーダは、カードに記録されたデータの読取りおよびカードへのデータの記録の少なくともいずれか一方を行うカードリーダにおいて、カードリーダへのカードの挿入方向側を奥側とし、カードリーダからのカードの抜取り方向側を前側とし、カードリーダに対するカードの挿入抜取り方向を前後方向とすると、カードの奥端側部分が収容される袋状のカード収容部とカード収容部の前端から鍔状に広がる隔壁部とを有する本体フレームと、本体フレームが収容されるケース体と、カードリーダに挿入されたカードの抜取りを防止するロック部材と、ロック部材を駆動する駆動機構と、隔壁部の奥側かつカード収容部の外側の領域であって隔壁部とケース体とによって囲まれた領域への液体の浸入を防止するためのシール部材とを備え、ロック部材は、隔壁部よりも前側に配置され、駆動機構は、隔壁部よりも奥側に配置される駆動源と、駆動源の動力をロック部材に伝達する動力伝達機構とを備え、駆動源および動力伝達機構は、あるいは、動力伝達機構は、前後方向に直線的に移動するスライド部材を備え、隔壁部には、スライド部材の一部が配置される切欠きまたは穴が前後方向に貫通するように形成され、シール部材は、切欠きまたは穴を塞ぐためのシール本体部と、一端がシール本体部に繋がるとともに他端がスライド部材に取り付けられる筒状のカバー部とを備え、シール本体部には、スライド部材が挿通される挿通穴が前後方向に貫通するように形成され、カバー部の一端は、挿通穴を囲むようにシール本体部の前側の面または奥側の面に繋がり、カバー部の内周側には、スライド部材が挿通され、カバー部は、スライド部材の前後動に追従して前後方向に伸縮することを特徴とする。
【００１０】
本発明のカードリーダでは、ロック部材を駆動するための駆動源および駆動源の動力をロック部材に伝達する動力伝達機構は、あるいは、動力伝達機構は、前後方向に直線的に移動するスライド部材を備えており、本体フレームの隔壁部に形成される切欠きまたは穴に、スライド部材の一部が配置されている。また、本発明では、隔壁部の奥側かつカード収容部の外側の領域であって隔壁部とケース体とによって囲まれた領域への液体の浸入を防止するためのシール部材は、切欠きまたは穴を塞ぐためのシール本体部と、一端がシール本体部に繋がるとともに他端がスライド部材に取り付けられる筒状のカバー部とを備えており、カバー部は、スライド部材の前後動に追従して前後方向に伸縮する。
【００１１】
すなわち、本発明では、スライド部材の動作に伴って変形するシール部材のカバー部は、前後方向に単純に伸縮する。そのため、本発明では、カバー部の形状等をそれほど考慮しなくても、スライド部材の動作に対するカバー部の追従性を確保することが可能になる。すなわち、カバー部の形状等をそれほど考慮しなくても、ロック部材の動作に対するカバー部の追従性を確保することが可能になる。したがって、本発明では、シール部材によって隔壁部の奥側の防水領域への液体の浸入を防止することが可能であっても、シール部材の設計を容易にしつつ、ロック部材を適切に動作させることが可能になる。
【００１２】
本発明において、カバー部は、蛇腹状に形成されていることが好ましい。このように構成すると、カバー部の伸縮動作に伴う駆動源の負荷を低減することが可能になる。したがって、動力の小さな駆動源を使用することが可能になり、その結果、カードリーダのコストを低減することが可能になる。
【００１３】
本発明において、たとえば、ロック部材は、カードリーダからのカードの抜取りを防止する抜取り防止位置と、カードリーダからのカードの抜取りが可能になる抜取り可能位置との間で回動可能となっており、カバー部の一端は、シール本体部の奥側の面に繋がっており、カバー部は、隔壁部の奥側に配置されている。この場合には、スライド部材の直線動作をロック部材の回動動作に変えるための機構が隔壁部の前側に配置される。したがって、カバー部が隔壁部の前側に配置されている場合と比較して、カバー部を配置しやすくなる。
【００１４】
本発明において、隔壁部には、カードリーダに挿入されたカードの厚さ方向における隔壁部の一方の端面まで切り欠かれた切欠きが形成されていることが好ましい。このように構成すると、たとえば、本体フレームが樹脂成形で形成されている場合に、本体フレームを形成するための金型の構成を簡素化することが可能になる。すなわち、前後方向に貫通する穴が隔壁部に形成されている場合には、本体フレームを形成するための金型としてスライド型が必要となるが、カードの厚さ方向における隔壁部の一方の端面まで切り欠かれた切欠きが隔壁部に形成されている場合には、スライド型を不要にすることが可能になる。したがって、本体フレームを形成するための金型の構成を簡素化することが可能になる。
【００１５】
本発明において、駆動源は、ソレノイドであり、動力伝達機構は、スライド部材として、ソレノイドのプランジャに連結されるレバー部材を備えることが好ましい。このように構成すると、ソレノイドのプランジャがスライド部材の一部を構成しており、カバー部の他端がプランジャに固定されている場合と比較して、ソレノイドの通電部分への浸水のおそれを低減することが可能になる。また、このように構成すると、プランジャの形状に影響を受けることなく、シール部材を設計することができるため、シール部材の設計の自由度を高めることが可能になる。
【発明の効果】
【００１６】
以上のように、本発明では、カードリーダに挿入されたカードの抜取りを防止するロック部材が本体フレームの隔壁部の前側に配置され、ロック部材の駆動機構の一部を構成する駆動源が隔壁部の奥側に配置されるとともに、駆動機構の一部が配置される切欠きまたは穴が隔壁部を貫通するように形成されたカードリーダにおいて、シール部材を用いて隔壁部の奥側の防水領域への液体の浸入を防止することが可能であっても、シール部材の設計を容易にしつつ、ロック部材を適切に動作させることが可能になる。
【図面の簡単な説明】
【００１７】
【図１】本発明の実施の形態にかかるカードリーダの斜視図である。
【図２】図１に示すカードリーダからケース本体を取り外した状態を別の方向から示す斜視図である。
【図３】図２に示すカードリーダ本体の斜視図である。
【図４】（Ａ）は、図３に示すカードリーダ本体から上側フレーム等を取り外した状態の斜視図であり、（Ｂ）は、図３に示すカードリーダ本体から上側フレームおよびシール部材等を取り外した状態の斜視図である。
【図５】図３に示すカードリーダ本体から上側フレーム等を取り外した状態の側面図である。
【発明を実施するための形態】
【００１８】
以下、図面を参照しながら、本発明の実施の形態を説明する。
【００１９】
（カードリーダの概略構成）
図１は、本発明の実施の形態にかかるカードリーダ１の斜視図である。図２は、図１に示すカードリーダ１からケース本体１２を取り外した状態を別の方向から示す斜視図である。図３は、図２に示すカードリーダ本体３の斜視図である。
【００２０】
本形態のカードリーダ１は、カード２に記録されたデータの読取りおよびカード２へのデータの記録の少なくともいずれか一方を行う装置である。具体的には、カードリーダ１は、カードリーダ１へのカード２の挿入とカードリーダ１からのカード２の抜取りとを手動で行ってデータの読取りや記録を行ういわゆるディップ式のカードリーダである。このカードリーダ１は、たとえば、無人またはセルフサービス方式のガソリンスタンドの給油装置等に搭載されて使用される。
【００２１】
カード２は、たとえば、厚さが０．７〜０．８ｍｍ程度の矩形状の塩化ビニール製のカードである。カード２の一方の面には、磁気データが記録される磁気ストライプが形成されている。また、カード２には、ＩＣチップが内蔵されており、カード２の他方の面には、ＩＣチップの外部接続端子が形成されている。なお、カード２は、厚さが０．１８〜０．３６ｍｍ程度のＰＥＴ（ポリエチレンテレフタレート）カードや、所定の厚さの紙カード等であっても良い。
【００２２】
カードリーダ１は、カードリーダ本体３と、カードリーダ本体３を覆うケース体４とを備えている。カードリーダ本体３は、カード２が移動するカード移動路が形成される本体フレーム６と、カード２に記録された磁気データの読取りやカード２への磁気データの記録を行う磁気ヘッド７（図４参照）と、カード２に内蔵されるＩＣチップとデータの通信を行うための複数のＩＣ接点バネを有するＩＣ接点ブロック（図示省略）と、カードリーダ１に挿入されたカード２の抜取りを防止するロック部材８と、ロック部材８を駆動する駆動機構９とを備えている。ケース体４は、カード２の挿入口１０が形成される前面カバー１１と、ケース本体１２とから構成されている。また、カードリーダ１は、制御用のプリント基板である制御基板１３を備えている（図２参照）。
【００２３】
本形態では、手動で操作されるカード２は、図１等に示すＸ方向に移動する。すなわち、Ｘ方向は、カード移動路を移動するカード２の移動方向である。また、カード２は、Ｘ１方向に挿入され、Ｘ２方向に抜き取られる。また、Ｘ方向に直交する図１等のＺ方向は、カードリーダ１に挿入されたカード２の厚さ方向であり、Ｘ方向とＺ方向とに直交する図１等のＹ方向は、カードリーダ１に挿入されたカード２の幅方向（短手幅方向）である。
【００２４】
以下の説明では、カードリーダ１に対するカード２の挿入抜取り方向であるＸ方向を前後方向とする。また、Ｙ方向を左右方向、Ｚ方向を上下方向とする。また、カードリーダ１へのカード２の挿入方向側であるＸ１方向側を「奥」側または「後ろ」側とし、カードリーダ１からのカード２の抜取り方向側であるＸ２方向側を「前」側とする。また、上下方向の一方側であるＺ１方向側を「上」側、上下方向の他方側であるＺ２方向側を「下」側とする。
【００２５】
本体フレーム６は、カードリーダ１に挿入されたカード２（すなわち、挿入口１０から挿入されたカード２）の奥端側部分が収容される袋状のカード収容部６ａと、カード収容部６ａの前端から鍔状に広がる隔壁部６ｂとを備えている。また、本体フレーム６は、図３に示すように、磁気ヘッド７が配置されるヘッド配置部６ｃと、挿入口１０から挿入されたカード２を案内するためのカード案内部６ｄとを備えている。カード収容部６ａの内部は、カード移動路の一部となっている。カード収容部６ａの上下の両面、左右の両面および後面には、カード収容部６ａの外部からカード移動路に通じる開口部は形成されていない。隔壁部６ｂは、カード収容部６ａの前端から上下方向および左右方向に広がる略長方形の枠状に形成されている。
【００２６】
ヘッド配置部６ｃおよびカード案内部６ｄは、隔壁部６ｂから前側へ突出している。ヘッド配置部６ｃとカード案内部６ｄとは、左右方向において間隔をあけた状態で形成されている。磁気ヘッド７は、ヘッド配置部６ｃの前端側に取り付けられている。磁気ヘッド７は、下側からカード移動路に臨むように配置されている。また、カード収容部６ａには、ＩＣ接点ブロックが取り付けられている。ＩＣ接点ブロックは、ＩＣ接点バネが上側からカード移動路に臨むように配置されている。
【００２７】
また、本体フレーム６は、上下方向で２分割される上側フレーム１５と下側フレーム１６とから構成されている。上側フレーム１５は、本体フレーム６の上側部分を構成している。下側フレーム１６は、本体フレーム６の下側部分を構成している。上側フレーム１５と下側フレーム１６とは、上下方向で組み合わされた状態で互いに固定されている。上側フレーム１５および下側フレーム１６は、樹脂で形成されている。すなわち、本体フレーム６は、樹脂で形成されている。また、上側フレーム１５および下側フレーム１６は、金型を用いた樹脂成形によって形成されている。
【００２８】
前面カバー１１は、本体フレーム６の前面側に配置されており、ヘッド配置部６ｃおよびカード案内部６ｄを覆っている。また、前面カバー１１は、カードリーダ１の前面を構成している。図１に示すように、前面カバー１１には、前面カバー１１の前面から後ろ側に向かって窪む指挿入部１１ａが形成されている。指挿入部１１ａは、ユーザの指が挿入可能となる大きさに形成されており、ユーザがカードリーダ１へカード２を挿入する際、および、ユーザがカードリーダ１からカード２を抜き取る際には、指挿入部１１ａにユーザの指が挿入される。
【００２９】
ケース本体１２は、前端が開口する略直方体の箱状に形成されている。ケース本体１２は、カード収容部６ａおよび隔壁部６ｂを覆っている。隔壁部６ｂの外周面は、ケース本体１２の内周面に接触している。前面カバー１１とケース本体１２とは、前面カバー１１の後端とケース本体１２の前端とが当接した状態で互いに固定されている。ケース体４は、カードリーダ本体３の上下の両面、左右の両面および前後の両面を覆っており、ケース体４には、本体フレーム６が収容されている。
【００３０】
本形態では、隔壁部６ｂの奥側かつカード収容部６ａの外側の領域であって隔壁部６ｂとケース体４とによって囲まれた領域は、水等の液体の浸入を許容しない防水領域となっている。すなわち、カード収容部６ａの外側の領域であって隔壁部６ｂとケース本体１２とによって囲まれた領域は、防水領域となっている。一方、隔壁部６ｂよりも前側の領域およびカード移動路は、水等の液体の浸入を許容する浸水許容領域となっている。制御基板１３は、カード収容部６ａの上端に固定されており、防水領域の中に配置されている。
【００３１】
本形態のカードリーダ１は、防水領域への液体の浸入を防止するためのシール部材（ガスケット）２０を備えている。すなわち、カードリーダ１は、浸水許容領域から防水領域への液体の浸入を防止するためのシール部材２０を備えている。以下、ロック部材８、駆動機構９、シール部材２０およびシール部材２０の周辺部の構成を説明する。
【００３２】
（ロック部材、駆動機構、シール部材およびシール部材の周辺部の構成）
図４（Ａ）は、図３に示すカードリーダ本体３から上側フレーム１５等を取り外した状態の斜視図であり、図４（Ｂ）は、図３に示すカードリーダ本体３から上側フレーム１５およびシール部材２０等を取り外した状態の斜視図である。図５は、図３に示すカードリーダ本体３から上側フレーム１５等を取り外した状態の側面図である。
【００３３】
ロック部材８は、ＩＣ接点ブロックを用いて、カードリーダ１に挿入されたカード２とカードリーダ１とが通信を行っているときに、カードリーダ１からカード２に抜き取られるのを防止する機能を果たしている。このロック部材８は、カード２の前端に接触してカードリーダ１からのカード２の抜取りを防止する爪部８ａを備えている。爪部８ａは、ロック部材８の前下端側部分を構成している。ロック部材８は、ヘッド配置部６ｃの上面側に取り付けられており、隔壁部６ｂよりも前側に配置されている。また、ロック部材８は、前面カバー１１の内部に配置されている。ロック部材８は、爪部８ａが上側からカード移動路に臨むように配置されている。
【００３４】
ロック部材８は、爪部８ａがカード２の前端に接触してカードリーダ１からのカード２の抜取りを防止する抜取り防止位置と、爪部８ａがカード移動路から上側に退避してカードリーダ１からのカード２の抜取りが可能になる抜取り可能位置（図３〜図５に示す位置）との間で移動可能になっている。具体的には、ロック部材８は、ヘッド配置部６ｃに固定される固定軸２１に回動可能に保持されており、抜取り防止位置と抜取り可能位置との間で回動可能となっている。固定軸２１は、固定軸２１の軸方向と左右方向とが一致するように配置されており、ロック部材８は、左右方向を回動の軸方向として回動可能となっている。また、ロック部材８の後ろ下端側部分に固定軸２１が挿通されている。
【００３５】
駆動機構９は、駆動源としてのソレノイド２２と、ソレノイド２２の動力をロック部材８に伝達する動力伝達機構２３とを備えている。ソレノイド２２は、カード収容部６ａの上面側に取り付けられており、隔壁部６ｂよりも奥側に配置されている。また、ソレノイド２２は、ソレノイド２２のプランジャ２２ａ（図５参照）が前後方向に直線的に移動するように配置されている。また、ソレノイド２２は、プランジャ２２ａが前側に突出するように配置されている。動力伝達機構２３は、プランジャ２２ａに連結されるスライド部材としてのレバー部材２４と、レバー部材２４とロック部材８とを連結するための２個のリンク部材２５、２６とを備えている。
【００３６】
レバー部材２４の後端部は、プランジャ２２ａに連結される連結部２４ａとなっている。レバー部材２４の前端部は、リンク部材２５に連結される連結部２４ｂとなっている。連結部２４ａと連結部２４ｂとは、直線状に形成される直線部２４ｃによって繋がれている。連結部２４ａは、隔壁部６ｂよりも奥側に配置され、連結部２４ｂは、隔壁部６ｂよりも前側に配置されている。すなわち、レバー部材２４の後端部は、隔壁部６ｂよりも奥側に配置され、レバー部材２４の前端部は、隔壁部６ｂよりも前側に配置されている。
【００３７】
リンク部材２５、２６は、隔壁部６ｂの前側に配置されている。リンク部材２５は、左右方向から見たときの形状が略Ｌ形状となるように形成されている。リンク部材２５の中心部は、ヘッド配置部６ｃに固定される固定軸２８に回動可能に保持されている。固定軸２８は、固定軸２８の軸方向と左右方向とが一致するように配置されており、リンク部材２５は、左右方向を回動の軸方向として回動する。リンク部材２６は、左右方向から見たときの形状が略長形状となるように形成されている。
【００３８】
レバー部材２４の連結部２４ａは、プランジャ２２ａに回動可能に連結されている。連結部２４ａは、プランジャ２２ａに対して上下方向を回動の軸方向として回動可能となっている。リンク部材２５の一端部は、レバー部材２４の連結部２４ｂに回動可能に連結されている。リンク部材２５は、連結部２４ｂに対して左右方向を回動の軸方向として回動可能となっている。リンク部材２５の一端部は、固定軸２８の下側に配置されている。
【００３９】
リンク部材２６の一端部は、リンク部材２５の他端部に回動可能に連結されている。リンク部材２６は、リンク部材２５に対して左右方向を回動の軸方向として回動可能となっている。リンク部材２５の他端部は、固定軸２８の前側に配置されている。ロック部材８の後ろ上端側部分は、リンク部材２６の他端部に回動可能に連結されている。ロック部材８は、リンク部材２６に対して左右方向を回動の軸方向として回動可能となっている。本形態では、ソレノイド２２のプランジャ２２ａが前後方向に動作すると、レバー部材２４が前後方向に直線的に移動する。
【００４０】
隔壁部６ｂには、直線部２４ｃの一部が配置される切欠き６ｅが形成されている。すなわち、隔壁部６ｂには、レバー部材２４の一部が配置される切欠き６ｅが形成されている。切欠き６ｅは、前後方向で隔壁部６ｂを貫通している。また、切欠き６ｅは、隔壁部６ｂの上端面まで切り欠かれている。前後方向から見たときの切欠き６ｅの形状は、長方形状となっている。切欠き６ｅは、上側フレーム１５に形成されている。
【００４１】
シール部材２０は、ゴムで形成されている。シール部材２０は、切欠き６ｅを塞ぐためのシール本体部２０ａと、直線部２４ｃの一部を外周側から覆うカバー部２０ｂとを備えている。本形態のシール部材２０は、シール本体部２０ａとカバー部２０ｂとから構成されている。シール本体部２０ａとカバー部２０ｂとは、一体で形成されている。シール本体部２０ａは、長方形の平板状に形成されている。シール本体部２０ａは、シール本体部２０ａの厚さ方向と前後方向とが一致するように配置されている。また、シール本体部２０ａは、切欠き６ｅの上端から下端までの全域に配置されている。
【００４２】
シール本体部２０ａの左右の両端面および下端面には、切欠き６ｅの縁に嵌る切込み２０ｃが形成されており、シール本体部２０ａは、切欠き６ｅに嵌っている。切込み２０ｃは、シール本体部２０ａの左右の両端面から左右方向の内側に窪むように形成されるとともに、シール本体部２０ａの下端面から上側に窪むように形成されている。シール本体部２０ａには、レバー部材２４が挿通される（具体的には、直線部２４ｃが挿通される）挿通穴２０ｄが形成されている。挿通穴２０ｄは、前後方向でシール本体部２０ａを貫通している。また、挿通穴２０ｄは、シール本体部２０ａの下端部に形成されている。
【００４３】
カバー部２０ｂは、筒状に形成されている。カバー部２０ｂの一端は、シール本体部２０ａに繋がっており、カバー部２０ｂの他端は、レバー部材２４に取り付けられている。具体的には、カバー部２０ｂの前端は、シール本体部２０ａの挿通穴２０ｄを外周側から囲むようにシール本体部２０ａの奥側の面に繋がっている。また、カバー部２０ｂの後端は、連結部２４ａと直線部２４ｃとの境界部分に固定されており、カバー部２０ｂは、隔壁部６ｂの奥側に配置されている。カバー部２０ｂの内周側には、レバー部材２４の直線部２４ｃが挿通されている。シール本体部２０ａの挿通穴２０ｄは、カバー部２０ｂによって後ろ側から塞がれている。
【００４４】
本形態のカバー部２０ｂは、蛇腹状に形成されている。すなわち、カバー部２０ｂは、山折り部と谷折り部とが前後方向で繰り返された蛇腹状に形成されている。上述のように、ソレノイド２２のプランジャ２２ａが前後方向に動作すると、レバー部材２４が前後方向に直線的に移動する。レバー部材２４が前後方向に直線的に移動すると、カバー部２０ｂは、レバー部材２４の前後動に追従して前後方向に伸縮する。
【００４５】
（本形態の主な効果）
以上説明したように、本形態では、ロック部材８に動力を伝達する動力伝達機構２３は、前後方向に直線的に移動するレバー部材２４を備えており、本体フレーム６の隔壁部６ｂに形成される切欠き６ｅにレバー部材２４の一部が配置されている。また、本形態では、隔壁部６ｂの奥側の防水領域への液体の浸入を防止するためのシール部材２０は、切欠き６ｅを塞ぐためのシール本体部２０ａと、前端がシール本体部２０ａに繋がるとともに後端がレバー部材２４に取り付けられる筒状のカバー部２０ｂとを備えており、カバー部２０ｂは、レバー部材２４の前後動に追従して前後方向に伸縮する。
【００４６】
すなわち、本形態では、レバー部材２４の動作に伴って変形するカバー部２０ｂは、前後方向に単純に伸縮する。そのため、本形態では、カバー部２０ｂの形状等をそれほど考慮しなくても、レバー部材２４の動作に対するカバー部２０ｂの追従性を確保することが可能になる。すなわち、本形態では、カバー部２０ｂの形状等をそれほど考慮しなくても、ロック部材８の動作に対するカバー部２０ｂの追従性を確保することが可能になる。したがって、本形態では、シール部材２０によって隔壁部６ｂの奥側の防水領域への液体の浸入を防止することが可能であっても、シール部材２０の設計を容易にしつつ、ロック部材８を適切に動作させることが可能になる。
【００４７】
本形態では、カバー部２０ｂは、蛇腹状に形成されている。そのため、本形態では、カバー部２０ｂの伸縮動作に伴うソレノイド２２の負荷を低減することが可能になる。したがって、本形態では、動力の小さなソレノイド２２を使用することが可能になり、その結果、カードリーダ１のコストを低減することが可能になる。
【００４８】
本形態では、隔壁部６ｂの前側にリンク部材２５、２６が配置されているが、カバー部２０ｂの前端は、シール本体部２０ａの奥側の面に繋がっており、カバー部２０ｂは、隔壁部６ｂの奥側に配置されている。そのため、本形態では、カバー部２０ｂが隔壁部６ｂの前側に配置されている場合と比較して、カバー部２０ｂを配置しやすくなる。
【００４９】
（他の実施の形態）
上述した形態は、本発明の好適な形態の一例ではあるが、これに限定されるものではなく本発明の要旨を変更しない範囲において種々変形実施が可能である。
【００５０】
上述した形態において、カバー部２０ｂの後端は、ソレノイド２２のプランジャ２２ａに取り付けられていても良い。この場合には、レバー部材２４とプランジャ２２ａとによって、前後方向に直線的に移動するスライド部材が構成されている。すなわち、この場合には、ソレノイド２２および動力伝達機構２３は、前後方向に直線的に移動するスライド部材を備えている。
【００５１】
ただし、上述した形態のようにカバー部２０ｂの後端がレバー部材２４に取り付けられている場合には、カバー部２０ｂの後端がプランジャ２２ａに取り付けられている場合と比較して、ソレノイド２２の通電部分への浸水のおそれを低減することが可能になる。また、上述した形態のようにカバー部２０ｂの後端がレバー部材２４に取り付けられている場合には、プランジャ２２ａの形状に影響を受けることなく、シール部材２０を設計することができるため、シール部材２０の設計の自由度を高めることが可能になる。
【００５２】
上述した形態において、切欠き６ｅに代えて、直線部２４ｃの一部が配置される穴（隔壁部６ｂの上端面まで切り欠かれていない穴）が前後方向で隔壁部６ｂを貫通するように形成されていても良い。この場合には、シール本体部２０ａは、この穴を塞ぐようにこの穴に嵌っている。ただし、上述した形態のように隔壁部６ｂに切欠き６ｅが形成されている場合には、本体フレーム６を形成するための金型（具体的には、上側フレーム１５を形成するための金型）の構成を簡素化することが可能になる。すなわち、前後方向に貫通する穴が隔壁部６ｂに形成されている場合には、上側フレーム１５を形成するための金型としてスライド型が必要となるが、隔壁部６ｂの上端面まで切り欠かれた切欠き６ｅが隔壁部６ｂに形成されている場合には、スライド型を不要にすることが可能になる。したがって、上側フレーム１５を形成するための金型の構成を簡素化することが可能になる。
【００５３】
上述した形態において、カバー部２０ｂの後端がシール本体部２０ａの前面に繋がっていても良い。この場合には、カバー部２０ｂの前端が、たとえば、レバー部材２４の連結部２４ｂと直線部２４ｃとの境界部分に固定されており、カバー部２０ｂは、隔壁部２０ｂの前側に配置されている。また、上述した形態において、カバー部２０ｂは、蛇腹状に形成されていなくても良い。すなわち、カバー部２０ｂには、山折り部と谷折り部とが形成されていなくても良い。この場合には、たとえば、カバー部２０ｂは、厚さの薄い薄肉の筒状に形成されている。
【００５４】
上述した形態において、駆動機構９は、ソレノイド２２に代えて、駆動源としてのモータを備えていても良い。また、上述した形態において、カードリーダ本体３は、磁気ヘッド７を備えていなくても良い。さらに、上述した形態では、カードリーダ１は、手動式のカードリーダであるが、カードリーダ１は、カード２を自動で搬送するカード搬送機構を有するカード搬送式のカードリーダであっても良い。
【符号の説明】
【００５５】
１  カードリーダ
２  カード
４  ケース体
６  本体フレーム
６ａ  カード収容部
６ｂ  隔壁部
６ｅ  切欠き
８  ロック部材
９  駆動機構
２０  シール部材
２０ａ  シール本体部
２０ｂ  カバー部
２０ｄ  挿通穴
２２  ソレノイド（駆動源）
２２ａ  プランジャ
２３  動力伝達機構
２４  レバー部材（スライド部材）
Ｘ  前後方向
Ｘ１  奥側
Ｘ２  前側
Ｚ  カードの厚さ方向
【図１】
2019008714.tif 000003
【図２】
2019008714.tif 000004
【図３】
2019008714.tif 000005
【図４】
2019008714.tif 000006
【図５】
2019008714.tif 000007